【手続補正書】
【提出日】平成18年8月2日(2006.8.2)
【手続補正１】
【補正対象書類名】明細書
【補正対象項目名】全文
【補正方法】変更
【補正の内容】
【書類名】      明細書
【発明の名称】  消費者用電子機器での放送チャネルの記憶及び切り換え方法
【特許請求の範囲】
【請求項１】  複数の放送チャネル間で切り換えることができ、選択された放送チャネルの受信期間が決定される、消費者用電子機器での放送チャネルの記憶及び切り換え方法において、
連続した受信期間が所定の時間期間を超過した場合に、現在選択されている放送チャネルをメモリ内に記憶しておき、ファンクションキーによって切り換える
ことを特徴とする方法。
【請求項２】  選択されたチャネルの受信期間は、当該受信期間が所定時間期間を超過する迄に限って決定される請求項１記載の方法。
【請求項３】  ユーザが、時間期間(ZE)を設定する請求項１記載の方法。
【請求項４】  メモリ内に記憶されているチャネルを切り換えるためのファンクションキーは、コントロールエレメントを操作することを含む請求項１記載の方法。
【請求項５】  関心のあるチャネルに関するピクチュアは、ビデオ情報としてフレームメモリ内に記憶される請求項１記載の方法。
【請求項６】  チャネルでのプログラムに関する信号を評価し、該評価の際、前記信号により、前記チャネルの前記プログラムの終了を指示するようにし、前記プログラムが終了すると、記憶されているチャネルを含むメモリを消去する請求項１記載の方法。
【請求項７】  信号をＶＰＳ信号にする請求項６記載の方法。
【発明の詳細な説明】
【０００１】
本発明は、複数の放送チャネル間で切り換えることができ、選択された放送チャネルの受信期間が決定される、消費者用電子機器、特に、テレビジョンセットでの放送チャネルの記憶及び切り換え方法に関する。
【０００２】
用語「プログラム」とは、相応に受信された各々のテレビジョンプログラム、例えば、ＡＲＤ，ＺＤＦ，ＲＴＬ（ドイツのテレビジョンプログラム）等である。消費者用電子機器、例えば、テレビジョンセットの場合、予め選択したチャネルにユーザがスイッチバックすることができるようにリモートコントロールキーを設けることが公知である。例えば、ユーザが、ある１つのチャネルで映画を見ているが、それとは違ったチャネルに切換え、その過程で、その映画が上映されているチャネルを忘れた場合、そのユーザは、このキーを押すことによって、その映画のチャネル番号に容易にスイッチバックすることができる。予め見ているプログラムのプログラムチャネルは、機器が自動的に記録しているので、覚えておく必要はない。
【０００３】
しかし、この慣用の解決手段の欠点は、一旦、ユーザが、あるチャネルから次ぎのチャネルにジャンプすると（所謂"zapping"）テレビジョンは、各場合でのラストチャネルとして、zappingシーケンス内のラストチャネルだけを認識する。
【０００４】
本発明は、消費者用電子機器での放送チャネルの記憶及び切り換え用の改善された方法を提供することにある。この課題は、連続した受信期間が所定の時間期間を超過した場合に、現在選択されている放送チャネルをメモリ内に記憶しておき、ファンクションキーによって切り換えることによって解決される。本発明の有利な実施例は、従属請求項から得られる。
【０００５】
異なったチャネル間で切り換えることができる消費者用電子機器にチャネルを記憶するための本発明の方法が区別される点は、目下受信しているチャネルの受信期間が測定され、及び、受信期間が所定時間期間ＺＥを超過すると即座に、このチャネルが関心のあるチャネルとして記憶される点である。
【０００６】
プログラムが、１つのチャネルで比較的長い期間の間受信されると、この所定時間期間を使って、ユーザが、この比較的長い時間期間の間そのチャネルを見続けているということを確認することができる。コマーシャルブレークの間、例えば、種々異なるチャネル間であちこち切換えると、比較的長い時間期間に亘って予め受信されていたチャネルにジャンプバックすることができる。
【０００７】
本発明の実施例では、目下受信しているチャネルの受信期間が、持続的に測定される。
【０００８】
その結果、切り換えられなかった場合でも、関心のあるチャネルを識別することができる。有利にも、ユーザが、関心のあるチャネルに切り換えることができる「関心のあるチャネル（"channel of interest"）」ファンクションキーを不適切に操作して、それにより、目下受信しているチャネルの受信期間が持続的に測定されなかった場合に、関心のあるチャネルの最後から２番目のチャネルが、そこに記憶される。
【０００９】
本発明の、その他の実施例によると、選択されたチャネルの受信期間は、当該受信期間が所定時間期間を超過する迄に限って決定される。
【００１０】
有利にも、この時間期間に達すると直ぐに、マイクロプロセッサによって負荷が軽減され、更に計算する必要はない。
【００１１】
方法では、更に、目下受信しているチャネルから別のチャネルに切り換えられて、受信期間が測定される。
【００１２】
切換の受信期間が測定された場合、有利にも、マイクロプロセッサが、それ自身で受信期間をモニタリングしないが、切換時間によってモニタリング開始するので、本発明の方法をもっと容易に実施することができる。切換時間は、「関心のあるチャネル（"channel of interest"）」ファンクションキーを押すことによって定められて、評価を実行される。
【００１３】
方法の付加的な実施例では、時間期間は、製造業者及び／又はユーザによって設定される。
【００１４】
この時間期間は、チャネルが関心のあるチャネルであると見なすべきであるか、又は、見なすべきでない時点を示す。つまり、一方では、例えば、３０秒の持続的なプリセット値であり、他方では、この値をユーザが変えることができると有利である。「関心のあるチャネル（"channel of interest"）」ファンクションキーは、従って、時間の関数として個別にプログラムすることができ、その結果、ユーザは、そのユーザにとって関心のあるチャネルを、例えば、３分の時間期間後に限定して決めることができる。
【００１５】
方法の、その他の実施例では、種々異なる時間期間が設定される。
【００１６】
種々異なる時間期間を設定することができる場合、異なったカテゴリの関心のあるチャネルを決めることができる。例えば、１つのファンクションキーを２回操作することができ、又は、ファンクションキーを複数回操作することができ、それにより、異なった時間期間のチャネルに切り換えることができる。
【００１７】
本発明の別の実施例では、第１の短い時間期間、第２の中間の時間期間及び第３の長い時間期間が設けられていて、このようにして、異なった関心チャネルを決めることができる。
【００１８】
種々異なった時間期間が細分割、例えば、３つのパートに細分割されている場合、短い時間期間は、例えば、３０秒にすることができ、中間の時間期間は、例えば、２分にすることができ、長い時間期間は、例えば、１０分にすることができ、ユーザは、各関心チャネルを、異なったキーを押すことによって切り換えることができる。
【００１９】
方法によると、同様に、目下受信しているチャネルの受信期間が測定され、その際、目下受信しているチャネルから別のチャネルに切り換えると、別のチャネルの受信期間が測定され、最も長い受信期間のチャネルは、時間期間として記憶される。
【００２０】
こうすることによって、時間期間をプログラムする必要がなくなる。と云うのは、システムが自動的に時間期間を、最も長い受信期間を測定することによって決定するからである。このようにすることができると、有利にも、チャネルが、この最も長い受信期間よりも極端に長い時間の間受信される場合、このチャネルは、常に、関心のあるチャネルとして識別される。従って、メモリは、その機器がスイッチオフされると、有利にも消去されるか、又は、このメモリを消去するために、ファンクションキーを設ける必要がある。
【００２１】
別のキーを、有利にも設け、それにより、ユーザが、関心のあるチャネルとして見ているチャネルを決めるために操作することができる。この操作は、例えば、比較的長い間、関心のあるチャネルのファンクションキーを押すことによって行うことができ、それから、ユーザは、スクリーン上の、例えば、「記憶された（"stored"）」のようなメッセージによって、又は、信号トーンによって、丁度視聴しているチャネルが「関心のあるチャネル（"channel of interest"）」として記憶されたということを知らされる。別個の「セーブキー（"save key"）」によって記憶することができる。このようにして、スイッチングを通して、関心のあるチャネルをユーザが見つけた場合に、［空白］ユーザが、後で、そのチャネルを再度コールすることができるようにするために、記憶することができる。ユーザが、複数のファンクションキーによって、又は、１つのキーを２回操作することによって、そのような「関心のあるチャネル（"channel of interest"）」を定めることができると、そのユーザは、何時でも後で再度そのチャネルをコールすることができる。
【００２２】
１つの可能な改善では、例えば、「関心のあるチャネル（"channel of interest"）」キーに対して、各場合で、時間期間を超過するチャネルを測定し、「関心のあるチャネル（"channel of interest"）」キーを、チャネル番号キー、例えば、チャネル番号１と組合せて、ユーザがチャネル番号１に記憶した関心のあるチャネルをコールアップすることができる。つまり、ユーザがチャネル番号キー１を通常のように押すと、ユーザはチャネル１、大抵の場合ＡＲＤを受信し、「関心のあるチャネル（"channel of interest"）」キーをユーザが押した後チャネル番号キー１が押されると、そのユーザは、例えば、そのユーザ自身が最も関心のあるチャネルとして記憶していたチャネルＰｒｏ７を受信することができる。このようにして、ユーザは、迅速且つ個別に、晩毎のテレビジョン放送に対して、そのユーザ好みのチャネルを記憶することができ、概してリモートコントロールで使用されるように、１から９に所定のように上昇する番号によってランク付けした順序を定めることさえできる。
【００２３】
この方法によると、時間期間を超過する全てのチャネルは、関心のあるチャネルとして記憶されている。
【００２４】
時間期間を超過するチャネルが全て、関心のあるチャネルとして記憶されている場合、ユーザは、このチャネルをメモリからコールアップすることができる。これは、種々異なるキーを用いて、又は、「関心のあるチャネル（"channel of interest"）」キーを繰り返し操作することによって、行うことができる。
【００２５】
方法によると、他方では、時間指示及び／又は各受信期間が、「関心のあるチャネル（"channel of interest"）」全てのために記憶されている。方法によると、更に、データが記憶され、及び／又は、時間順序で、及び／又は、受信期間に基づいてコールされる。
【００２６】
時間指示、例えば、一日の時間及び日付が記憶されているので、それがファンクションキーを使用して記憶されると直ぐに、関心のあるチャネルを再度コールアップすることができる順序を定めることができる。「受信期間（"reception duration"）」後、ユーザが最も長い時間の間視聴していたチャネルが、再度コールアップされるべき最初のチャネルであり、第２の最も長い時間の間見ていたチャネルは、第２のチャネルである、等である。逆の解法も設けることができる。「時間指示（"time indications"）」に基づいて、データの時間順序でコールアップすることができ、即ち、ユーザが、最後に視聴していたチャネルをユーザが思い出し、又は、例えば、最後から３番目のステーションとして、もっと頻繁に「関心のあるチャネル（"channel of interest"）」キーが押されるに連れて、ユーザが、時間に合わせて、視聴していたチャネルから更に遡ることができる。ユーザのメモリ容量迄、ユーザは、迅速にもう一度、そのユーザにとって最も関心のあるチャネルを見つけることができる。
【００２７】
方法によると、関心のあるチャネルへの切換は、コントロールエレメントを操作することによって行われる。
【００２８】
このようにして、いわば、「関心のあるチャネル（"channel of interest"）」キーを介して、（既述のように）関心のあるチャネルにスイッチバックすることができる。
【００２９】
メニューコントロールを使用して、本発明の方法にアクセスすることも可能である。メニューを用いることにより、処理用の有益な情報を、ユーザ用に提供することができる。
【００３０】
方法によると、最後から２番目の、関心のあるチャネルに、コントロールエレメントを操作することによって、もう一度切り換えることができる。メモリ内に記憶されているチャネルを切り換えるためのファンクションキーは、コントロールエレメントを操作することを含む。
【００３１】
このように２重に使用することによって、ユーザにとって、簡単に、関心のある種々異なったチャネルを視聴することができるようになる。
【００３２】
方法により、更に、複数のコントロールエレメントが、種々異なった、関心のあるチャネル用に設けられている。
【００３３】
ファンクションキーを２重に使用すると、極端に使うことによって混乱するのを制限することができ、異なったコントロールエレメントが有利には関心のあるチャネルのために使用される。つまり、ファンクションキーを特定の形状にして、例えば、１つのファンクションキーは、小さなテレビジョンとしてマークされると、ユーザは、この場合に、映画、所謂目下上映されているムービーを、関心のあるチャネルとして視聴することができる。キーがステレオサウンドを指示する２つの円でマークされると、これにより、ユーザは、音楽プログラムであることが通知される。Ｘでマークされたキーは、所望のｘチャネルを指示するのに使用することができる。
【００３４】
方法の次の実施例では、関心のあるチャネルに関する画像は、フレームメモリ内にビデオ情報として記憶される。
【００３５】
比較的新式のテレビジョンは、フレームメモリを有しているので、そのようなフレームメモリは、ユーザ自身又は方法によって決定された、関心のあるチャネルに関連する画像を付加的に記憶するのに使用することができる。このようにして、ユーザは、チャネルをリアルに迅速に想起することができる。これは、テレビジョン視聴者が、スイッチオンして、比較的長時間に亘って、例えば、３時間に亘ってテレビジョンを視聴した場合に、有利である。つまり、この期間内に、同一チャネルの関心のあるチャネルは、既に次のプログラムによって置き換えられており、その結果、例えば、関心のある映画の次が関心のないプログラムである場合、ユーザは、関心のあるチャネルと関連した画像を、それを見つけるために使用することができる。この画像は、時間期間が超過された後、自動的に記憶するか、又は、上述の方法を用いて記憶することができる。
【００３６】
プログラム終了後、関心のあるチャネル用のメモリを消去するために、信号を評価することができる。この信号は、例えば、ＶＰＳ信号である。チャネルでのプログラムに関する信号を評価し、該評価の際、信号により、チャネルの前記プログラムの終了を指示するようにし、プログラムが終了すると、記憶されているチャネルを含むメモリを消去する。
【００３７】
方法では、更に、コントロールエレメントが操作される場合、ビデオ情報及び／又はチャネル情報は、オーバーレイされる。
【００３８】
このようにして、ユーザは、システムを一層ユーザフレンドリーにする付加的な情報が供給される。
【００３９】
方法では、幾つかのビデオ情報項目を、コントロールエレメントを操作することによってスクリーン上に表示し、コントロールエレメントを介して選択することができる。
【００４０】
幾つかの関心のあるチャネルがビデオと共に記憶されている場合、それを表示することができ、例えば、モザイクのようにスクリーン上にビデオ内容を用いて表示することができ、ユーザは、相応のチャネルを再度カーソルキー又は他のファンクションキーを使用してコールアップすることができる。これが有利であるのは、例えば、チャネル全てが、既述のように、関心のあるチャネルとして選択された間隔を超過した場合、その際、ユーザがチャネル全てをスクリーン上に表示することができ、その際、ユーザが特定の選択をすることができる場合である。時間期間が、例えば、実際上短く、例えば、１０秒又は２秒に選択された場合、ユーザは、迅速にあるプログラムから次ぎのプログラムにジャンプした（zap）後、ユーザは、関心のあるキーのチャネルを表示することができ、例えば、関心のあるチャネルの最後の９つを、例えば、モザイクのようにしてテレビジョンスクリーン上に表示して、ユーザが選択することができる。
【００４１】
方法では、更に、関心のあるチャネルをボイス入力によってコールアップすることができる。
【００４２】
ボイスシンセサイザーは、目下益々、消費者用電子機器を制御するのに適合されているので、ユーザは、最早、前述のような、どんなコントロールエレメントも持つ必要がなくなり、ボイスコマンドを用いて入力することができる。従って、例えば、異なった時間期間がある場合、ユーザは、コマンド「ショートｉチャネル（"short i channel"）」を用いて、関心のあるショートチャネルをコールアップすることができる。この場合の基本的な技術思想は、記憶されたデータを特定のチャネルコマンドを介して再度直接コールアップすることができ、長い、又は、複雑なワードは、略語又は新たなワードによって置き換えることができる。従って、目下の関心のあるチャネルを「スマートラストステーションスイッチ（"Smart Last Station Switch"）」として記述してもよい。用語「関心のあるチャネル」は、既述の、又は、以下のような種々異なるオプションによって定められている。従って、関心のあるチャネルを、既述のように、単一のｉチャネルとして定義することができる。
【００４３】
異なったチャネル間で切り換えることができる消費者用電子機器でチャネルを決定するための方法の別の実施例では、目下受信しているチャネルの受信期間が測定され、この受信期間が所定時間期間以下に低下すると即座に、そのチャネルは、関心のないチャネルとして定義される。
【００４４】
関心のあるチャネルを決定するための、このようなバイパスによる解決手段では、関心のないチャネルから関心のあるチャネルを検出してマスキングし、及び／又は［空白］関心のないチャネルが視聴されようとしている場合である。例えば、時間期間よりも短いチャネルは全て、あるチャネルから次ぎのチャネルにジャンプする（zap）間、検出される。と言うのは、テレビジョンレシーバは、そのチャネル全てのサマリーをメモリ内に含んでおり、このメモリは、有利には、このようにして見つけられた、関心のないチャネルに、コントロールエレメントを使用してアクセスしない。しかし、このコントロールエレメントを用いて、他の全てのチャネルにアクセスすることはできる。
【００４５】
関心のあるチャネルを決定するために、データは、更に、スイッチングシーケンス及びスイッチングレートのように評価することができ、その結果、ユーザの行動は、このようにして、排他的及び／又は付加的に評価することができる。これは、頻繁に視聴されるチャネル、例えば、関心のあるチャネルである。再度、迅速に切り換えられるチャネルは、例えば、関心のないチャネルである。このようにして決定された関心のある、これらのチャネルは、次に、コントロールエレメントによってコールアップすることができる。関心のないチャネルは、例えば、そのチャネルから次ぎのチャネルにジャンプする（zap）場合に、ユーザが、あるチャネルから次ぎのチャネルにジャンプする（zap）ためにもう一度そのチャネルを作動する迄、無視される。この作動は、ユーザによって、メニュー又はコントロールエレメントを用いて実行されて、「関心のあるチャネル（"channel of interest"）」ステータスを、このチャネルにもう一度割り当てることができるようになる。
【００４６】
コントロールユニット、メモリ、チャネル信号、コントロールエレメントを有する消費者用電子機器で、関心のあるチャネルを決めるための方法用の回路では、コントロールエレメントが切換のために使用され、コントロールユニットは受信期間を検出して、どの程度長く、各チャネルが作動されていたか検出し、受信期間が、予め設定された時間期間以下に低下すると直ぐに、このチャネルが関心のあるチャネルとしてメモリ内に記憶される。
【００４７】
更に、この回路は、チャネルの名称及び／又は送信周波数及び／又はチャネルの詳細及び／又はShowViewデータ及び／又はテレテキスト情報が、チャネル特有のデータとして記憶される。
【００４８】
以下、本発明について図示の実施例を用いて詳細に説明する。その際、
図１は、関心のあるチャネルが決められるやり方についての略図、
図２ａ−ｃは、フレームメモリを使用して、関心のあるチャネルを示す図、
図３は、本発明のブロック図
である。
【００４９】
図１ａ及び１ｂには、チャネルが、最も関心のある各チャネルである異なった実施例が示されている。その際、これは、メモリ内に記憶することができる。目下示されているチャネルは、各場合に、上側のバーＡＤＰ内にリストされている。関心のあるチャネルは、下側のバーＬＰ内にリストされている。古典的な（公知の）解法は、最後のチャネルによって表わされたバーＬＰ内にリストされている。
【００５０】
事例Ｓ１は、図１ａで説明されるべき第１の件である。時点Ｓ１で、ユーザは、古典的な事例では、「ラストチャネル（"Last Channel"）」キーを押し、この事例では、「関心のあるチャネル（"channel of interest"）」キーを押す。矢印ＺＥは、関心のあるチャネルに対する時間期間を示す。この時間期間は、例えば、３０秒である。従って、ユーザは、ＡＲＤチャネルを見ていて、時間期間ＺＥが超過される。ユーザは、チャネルＰｒｏ７を聴取していて、時間期間ＺＥが同様に超過される。この後、ユーザは、チャネル３を聴取し、時点Ｓ１で、「関心のあるチャネル（"channel of interest"）」キーを作動する。この場合、Ｐｒｏ７チャネルは、時間期間ＺＥを超過する最後のチャネルであったので、テレビジョンセットは、Ｐｒｏ７チャネルに切り換えられる。これは、時間期間ＺＥが超過すると即座に、時間期間ＺＥを超過した各チャネルがメモリ内に記憶されているので、各チャネル「関心のあるチャネル（"channel of interest"）」バーから分かる。従って、メモリ内容は、各場合に、このＩＰバー内にリストされている。これは、古典的な方法での最後のチャネルＬＰの場合にも同様である。古典的な解法では、ユーザは、事例Ｓ１の時点で、Ｎ３チャネルに切り換える。
【００５１】
事例Ｓ２では、例えば、あるチャネルから次ぎのチャネルにジャンプする（zap）間、ユーザが種々異なったプログラムを短時間聴取し、最後には、あるチャネルから次ぎのチャネルにジャンプする（zap）前に聴取していたチャネルに戻ろうとする。図示の時点Ｓ２では、ユーザは、「関心のあるチャネル（"channel of interest"）」キーを押して、時間期間を以前に超過したＳＡＴ１チャネルに達する。この古典的な事例では、ユーザは、再度、ラストチャネルコントロールエレメントを介して、コマーシャルを除去する（zap）間最後のチャネル番号に達する（Bayern 3 B3(Bavarian third programme)。
【００５２】
事例Ｓ３には、時点Ｓ３で、ユーザが古典的な「ラストチャネル（"last channel"）」キーを押した状況が図示されている。「関心のあるチャネル（"channel of interest"）」コントロールエレメントと、古典的な「ラストチャネル（"last channel"）」コントロールエレメントとを２重に使用してもよく、キーを短時間押すことによって、関心のあるチャネルをコールアップしたり、キーを比較的長時間押すことによって、ラストチャネルをコールアップしたりする。
【００５３】
図１ｂには、事例Ｓ４、Ｓ５が図示されており、時点Ｓ４，Ｓ５，Ｐｒｏ７では、時間期間ＺＥを超過するラストチャネルとしてメモリ内に記録されており、その他の図示のチャネルは、時間期間を超過しない。
【００５４】
図２には、関心のあるチャネルが図示されている。例えば、図２ａに示されているように、目下関心のあるチャネルに対して、ユーザのために、ピクチュアＰＩＰフィーチュアでのピクチュアを使用してオーバーレイすることができ、決められた、関心のあるチャネルが時間期間を再度超過すると直ぐに、このピクチュアが、記憶されたピクチュアでないならば、そのピクチュアをアップデートするか、又は、チャネルチェンジを表示することができる。
【００５５】
図２ｂには、ピクチュアＰＯＰバージョンのピクチュアが示されている。メモリの設計が、幾つかの関心のあるチャネルを表示することができるようにされている場合、これらの各チャネルは、図２ｂのメインピクチュアに並べて一方が他方の下側にオーバーレイされるようにすることができる。過度に大きな数のテレビジョンチューナを使用するのを回避するために、連続的にアップデートされるフレームメモリで作動するようにされている。関心のあるチャネルに関するピクチュアは、ビデオ情報としてフレームメモリ内に記憶される。
【００５６】
図２ｃには、モザイク形式で表示される関心のある幾つかのチャネルが図示されており、このチャネルから、ユーザは、この実施例では  ＋  によって示されているカーソルを、そのユーザにとって関心のあるチャネルを選択するのに使用することができる。つまり、特定の時間後、例えば、２−３秒後、システムによってアップデートされたフレームメモリを使用することができ、その結果、そのプログラム用の目下のビデオが常にそこに現れて、ユーザは、時間順序に従って良好に概観することができる。
【００５７】
各オーバーレイプロセスＰＩＰ，ＰＯＰ又はＭＯＳＡＩＫは、ここには図示されていないメニューを介して作動することができる。
【００５８】
図３には、コントロールユニットＳＥ、メモリＳＰ、入力信号ＥＳ、出力信号ＡＳ及びコントロールユニットＢＥ又は赤外線コントロールユニットＩＲを有するブロック図が示されており、コントロールユニットＢＥは、直接、機器に取り付けられている。時間期間をモニタするカウンタは、コントロールユニットＳＥ内に設けられている。従って、コントロールユニットＳＥに供給されて、どのチャネルが目下受信されているかについてのチャネル情報を含んでいる入力信号ＥＳが、所定の時間期間、例えば、３０秒以上の時間期間で受信される場合、このチャネルは、関心のあるチャネルとしてメモリＳＰ内に記憶される。ユーザがコントロールユニットＢＥを使用するか、又は、リモートコントロールＩＲが他のチャネルに切換え、この他のチャネルが時間期間を再度超過する場合、このチャネルは、関心のあるチャネルとしてメモリＳＰ内に記憶される。ユーザが短時間、例えば、各場合に５秒以下であるチャネルから次ぎのチャネルにジャンプする（zap）１７番目のチャネル後、ユーザが、関心のある以前のチャネルにジャンプバックしたいと望むと、そのユーザは、リモートコントロール上又は機器上の「関心のあるチャネル（"channel of interest"）」ファンクションキーを操作し、それから、コントロールユニットＳＥは、メモリ内に記憶されたデータによって、適切なチャネルに関してメモリＳＰ内に記憶されたデータ、例えば、名称、伝送周波数、チャネルデテール、ShowViewデータ、テレテキスト情報、又は、そのようなシステムにとって関心のある何らかの情報を切換える。この事例でブロック図によって示した消費者用電子機器は、衛星受信システム又はその他の無線レシーバであり、これらの基本的なコンポーネントは、全ての機器内にあるので、この方法は、如何なる機器にも適用することができる。
【００５９】
本発明について、テレビジョンチャネルに関して説明したが、他の放送無線プログラムに適用してもよい。
【図面の簡単な説明】
【図１】
関心のあるチャネルが決められるやり方についての略図
【図２】
フレームメモリを使用して、関心のあるチャネルを示す図
【図３】
本発明のブロック図